(57)【要約】【課題】切換可能なチャンネル数が多く利便性の高い切換スイッチを提供すること。【解決手段】本発明の切換スイッチ１００は、固定ブロック２０に押し込んだ第１の位置と、固定ブロックから引き抜いた第２の位置と、の間で移動するスイッチ部１０を有する。スイッチ部は、外側組立体３０と内側組立体４０を備えている。また、この切換スイッチ１００は、スイッチ部１０が第１の位置に位置する際には外側組立体３０と内側組立体４０を回転可能に連結させ、スイッチ部が第２の位置へ移動した際には外側組立体３０と内側組立体４０との連結を解除する連結部材５０と、内側組立体４０が第１の位置に位置している際には固定ブロック２０と内側組立体４０との回転を許容し、内側組立体４０が第２の位置に位置している際には固定ブロックと内側組立体４０との回転を規制する規制部と、をさらに具備している。【選択図】図１
2016195086.tif 000002
【特許請求の範囲】
【請求項１】
固定部に対してダウンした位置である第１の位置と、当該第１の位置から固定部に対してアップした位置である第２の位置とに移動するスイッチ部を有する切換スイッチであって、
上記スイッチ部は、
回転操作部を有し、当該回転操作部の回転軸に沿って上記第１の位置と上記第２の位置とに移動する第１のブロックと、
上記第１のブロックが上記第１の位置に位置している際には当該第１のブロックとともに当該第１の位置に位置し、上記第１のブロックが上記回転操作部の回転軸に沿って上記第２の位置へ移動する際には当該第１のブロックの移動に連動して当該第２の位置へ移動する第２のブロックと、を具備し、
上記第１のブロック及び上記第２のブロックが上記第１の位置に位置する際には当該第１のブロックと上記第２のブロックとを回転可能に連結させ、上記第１のブロック及び上記第２のブロックが上記第２の位置へ移動した際には当該第１のブロックと当該第２のブロックとの連結を解除する第３のブロックと、
上記第２のブロックが上記第１の位置に位置している際には上記固定部と上記第２のブロックとの回転を許容し、上記第２のブロックが上記第２の位置に位置している際には上記固定部と上記第２のブロックとの回転を規制する規制部と、
をさらに具備したことを特徴とする切換スイッチ。
【請求項２】
上記第１のブロック及び上記第２のブロックとの間で上記固定部に対して非回転可能に配置され、当該第１のブロック及び当該第２のブロックの上記回転軸方向への移動に連動して上記回転軸方向へ移動する第４のブロックと、を更に有し、
上記第４のブロックには、
上記第１のブロックの回転位置を検出するための第１の基板部と、
上記第２のブロックの回転位置を検出するための第２の基板部と、
が配置されていることを特徴とする請求項１記載の切換スイッチ。
【請求項３】
上記第１のブロックには上記第１の基板部と電気的に接触する第１の切片が配置され、
上記第２のブロックには上記第２の基板部と電気的に接触する第２の切片が配置されていることを特徴とする請求項２記載の切換スイッチ。
【請求項４】
上記第４のブロックは、
上記第１のブロックが上記第２の位置から上記第１の位置へ移動する際に、当該第１のブロックによって押圧されることにより上記第２のブロックを上記第１の位置へ移動させることを特徴とする請求項２記載の切換スイッチ。
【請求項５】
上記第１のブロックの上記回転操作部には第１の表示部が形成された凹部が形成され、
上記第２のブロックには上記凹部に装着される円盤状部と、当該円盤状部の外周部に配置された第２の表示部と、上記第１の表示部の内容を視認するための窓部とが形成され、
上記第１のブロック及び上記第２のブロックが上記第２の位置に移動した際に、上記第１のブロックの回転状態である第１の表示部の内容を上記円盤状部に形成された上記窓部によって確認できるようにしたことを特徴とする請求項２記載の切換スイッチ。
【発明の詳細な説明】
【技術分野】
【０００１】
本発明は、例えば、カメラの筐体に設けられる切換スイッチに関する。
【背景技術】
【０００２】
従来、切換スイッチとして、プッシュスイッチとしての機能、およびダイアルスイッチとしての機能を併せ持ったスイッチが知られている。このように、１つのスイッチに２種の切換機能を持たせることで、部品点数を少なくでき、省スペース化を図ることができる。
【先行技術文献】
【特許文献】
【０００３】
【特許文献１】特開２００４−１８５９２７号公報
【発明の概要】
【発明が解決しようとする課題】
【０００４】
しかし、上述した従来のスイッチでは、２位置で切換えるプッシュスイッチと多段階の切換が可能なダイアルスイッチを組み合わせているため、切換可能なチャンネル数が不十分で、ユーザーの要求を必ずしも満たすものではなかった。
【０００５】
本発明は、上記の点に鑑みてなされたもので、切換可能なチャンネル数が多く利便性の高い切換スイッチを提供することを目的とする。
【課題を解決するための手段】
【０００６】
本発明の切換スイッチの一態様は、固定部に対してダウンした位置である第１の位置と、当該第１の位置から固定部に対してアップした位置である第２の位置とに移動するスイッチ部を有し、上記スイッチ部は、回転操作部を有し、当該回転操作部の回転軸に沿って上記第１の位置と上記第２の位置とに移動する第１のブロックと、上記第１のブロックが上記第１の位置に位置している際には当該第１のブロックとともに当該第１の位置に位置し、上記第１のブロックが上記回転操作部の回転軸に沿って上記第２の位置へ移動する際には当該第１のブロックの移動に連動して当該第２の位置へ移動する第２のブロックと、を具備している。また、この切換スイッチは、上記第１のブロック及び上記第２のブロックが上記第１の位置に位置する際には当該第１のブロックと上記第２のブロックとを回転可能に連結させ、上記第１のブロック及び上記第２のブロックが上記第２の位置へ移動した際には当該第１のブロックと当該第２のブロックとの連結を解除する第３のブロックと、上記第２のブロックが上記第１の位置に位置している際には上記固定部と上記第２のブロックとの回転を許容し、上記第２のブロックが上記第２の位置に位置している際には上記固定部と上記第２のブロックとの回転を規制する規制部と、をさらに具備している。
【０００７】
また、本発明の切換スイッチの別の態様によると、上記第１のブロック及び上記第２のブロックとの間で上記固定部に対して非回転可能に配置され、当該第１のブロック及び当該第２のブロックの上記回転軸方向への移動に連動して上記回転軸方向へ移動する第４のブロックと、を更に有し、上記第４のブロックには、上記第１のブロックの回転位置を検出するための第１の基板部と、上記第２のブロックの回転位置を検出するための第２の基板部と、が配置されていることを特徴とする。
【０００８】
また、本発明の切換スイッチの別の態様によると、上記第１のブロックには上記第１の基板部と電気的に接触する第１の切片が配置され、上記第２のブロックには上記第２の基板部と電気的に接触する第２の切片が配置されていることを特徴とする。
【０００９】
また、本発明の切換スイッチの別の態様によると、上記第４のブロックは、上記第１のブロックが上記第２の位置から上記第１の位置へ移動する際に、当該第１のブロックによって押圧されることにより上記第２のブロックを上記第１の位置へ移動させることを特徴とする。
【００１０】
さらに、本発明の切換スイッチの別の態様によると、上記第１のブロックの上記回転操作部には第１の表示部が形成された凹部が形成され、上記第２のブロックには上記凹部に装着される円盤状部と、当該円盤状部の外周部に配置された第２の表示部と、上記第１の表示部の内容を視認するための窓部とが形成され、上記第１のブロック及び上記第２のブロックが上記第２の位置に移動した際に、上記第１のブロックの回転状態である第１の表示部の内容を上記円盤状部に形成された上記窓部によって確認できるようにしたことを特徴とする。
【発明の効果】
【００１１】
本発明によれば、第１及び第２のブロックが第１の位置に位置する際には第１のブロックと第２のブロックとが共に回転し、第１及び第２のブロックが第２の位置に位置する際には第１のブロックのみが回転する切換スイッチを提供することができる。これにより、切換可能なチャンネル数が多く利便性の高い切換スイッチを提供できる。
【図面の簡単な説明】
【００１２】
【図１】図１は、本発明の実施形態に係る切換スイッチを示す断面図である。
【図２】図２は、図１の切換スイッチのスイッチ部を第２の位置に移動した状態を示す断面図である。
【図３】図３は、図１の切換スイッチの固定ブロックを示す斜視図である。
【図４】図４は、図１の切換スイッチの外側組立体を示す斜視図である。
【図５】図５は、図４の外側組立体をＦ５−Ｆ５で切断した断面図である。
【図６】図６は、図１の切換スイッチの内側組立体を示す斜視図である。
【図７】図７は、図３の固定ブロックの他端側に押え板を取り付けた状態を示す斜視図である。
【図８】図８は、図１の切換スイッチの非回転部材を外側組立体側から見た斜視図である。
【図９】図９は、図８の非回転部材を反対側から見た斜視図である。
【図１０】図１０は、図３の固定ブロックに連結部材を取り付けた状態の断面斜視図である。
【図１１】図１１は、図８、図９の非回転部材の基板に切片を接触させた状態を示す断面図である。
【図１２】図１２は、図３の固定ブロックに非回転部材を取り付けた状態を示す斜視図である。
【図１３】図１３は、図１２の固定ブロックに歯合部および連結部材を取り付けた状態を示す斜視図である。
【図１４】図１４は、図４の外側組立体の連結板の切欠部に連結部材の連結ピンを挿通した状態を示す斜視図である。
【発明を実施するための形態】
【００１３】
以下、本発明の実施形態について図面を参照して説明する。  
図１および図２は、本発明の実施形態に係る切換スイッチ１００の断面図である。以下の説明では、図１の上下方向を軸方向と称し、軸方向の図示上端側を一端側と称し、軸方向の図示下端側を他端側と称する。
【００１４】
図１は、切換スイッチ１００の後述するスイッチ部１０を固定ブロック２０（固定部）に対してダウンした位置（第１の位置）に移動した状態を示す。図２は、スイッチ部１０を固定ブロック２０に対してアップした位置（第２の位置）に移動した状態を示す。すなわち、図１はスイッチ部１０を固定ブロック２０に押し込んだ状態を示し、図２はスイッチ部１０を固定ブロック２０から部分的に引き抜いた状態を示す。なお、図３は、固定ブロック２０を他端側から見た斜視図である。
【００１５】
スイッチ部１０は、外側組立体３０（第１のブロック）および内側組立体４０（第２のブロック）を備えている。図４は、外側組立体３０を他端側から見た斜視図であり、図５は、図４のＦ５―Ｆ５で外側組立体３０を切断した断面図である。図６は、内側組立体４０（および後述する連結部材５０）を一端側から見た斜視図である。連結部材５０は、第３のブロックとして機能する。
【００１６】
この他に、切換スイッチ１００は、外側組立体３０と内側組立体４０の間で、固定ブロック２０に対して非回転可能に配置した非回転部材６０（第４のブロック）、および円環板状の押え板７０（図７）を備えている。非回転部材６０は、外側組立体３０および内側組立体４０とともに軸方向に移動可能である。図８は、非回転部材６０を外側組立体３０側（一端側）から見た斜視図であり、図９は、非回転部材６０を反対側（他端側）から見た斜視図である。
【００１７】
図３に示すように、固定ブロック２０は、略矩形ブロック状の外形を有し、中央に軸方向に延びた比較的大きな取付孔２１を有する。取付孔２１は、軸方向に段差を有する略円筒形の孔であり固定ブロック２０の一端側と他端側を連絡して固定ブロック２０を貫通して延びている。この取付孔２１に、外側組立体３０、内側組立体４０、連結部材５０、および非回転部材６０が取り付けられる。例えば本実施形態の切換スイッチ１００をカメラの操作スイッチとして用いる場合、固定ブロック２０は、カメラの筐体の一部であってもよく、或いは筐体とは別体にして筐体に対して装着可能にしてもよい。
【００１８】
図４および図５に示すように、外側組立体３０は、回転操作部３２、保持部材３４、および連結板３６を同軸に有する。回転操作部３２は、略円筒形の部材である。回転操作部３２は、図１に示すように固定ブロック２０の一端側に突出して配置され、ユーザーの指でつまんで回転することができる。このため、回転操作部３２の外周面は、滑り止めのため凸凹形状に形成されている。また、この回転操作部３２は、図２に示すようにスイッチ部１０を固定ブロック２０から部分的に引き上げる際に、ユーザーが指でつまむ部位となる。
【００１９】
保持部材３４は、回転操作部３２の他端側に接着固定されている。つまり、この保持部材３４は、回転操作部３２と一体に回転するとともに回転操作部３２と一体に軸方向に移動する。本実施形態では保持部材３４を回転操作部３２と別体にしたが、保持部材３４と回転操作部３２を一体に形成してもよい。保持部材３４は、中心に内側組立体４０を回転可能に取り付けるための円筒形の取付孔３４ａを有する。
【００２０】
また、保持部材３４は、回転軸を中心に軸方向と交差する方向に放射状に延設された３つのクリック部３５を有する。３つのクリック部３５は、バネ３５ａおよびボール３５ｂをそれぞれ有し、保持部材３４の周方向に等間隔（１２０°間隔）で配置されている。より具体的には、保持部材３４は、軸方向と交差する放射方向に延びて外周面に一端が開口した円筒形の３つの取付孔３７を有し、各取付孔３７内にバネ３５ａが収容配置されてボール３５ｂが押し込まれる。なお、クリック部３５の数は任意に変更可能であり、配置位置や配置間隔も任意（必ずしも等間隔である必要はない）に変更可能である。
【００２１】
これら３つのクリック部３５は、外側組立体３０を固定ブロック２０の取付孔２１に取り付けた状態（図１、図２）で、取付孔２１の内面に形成された複数の嵌合凹部２２ａ、２２ｂに対向する。例えば図１に示す第１の位置にスイッチ部１０を配置した状態で、各クリック部３５のボール３５ｂが複数の嵌合凹部２２ａのいずれかに嵌合する。また、図２に示す第２の位置にスイッチ部１０を配置した状態で、各クリック部３５のボール３５ｂが複数の嵌合凹部２２ｂのいずれかに嵌合する。
【００２２】
連結板３６は、略円板状の部材である。連結板３６は、保持部材３４の他端側に３本のネジ３８を用いて締結固定される。連結板３６も中央に内側組立体４０を受け入れるための貫通孔３６ａを有する。保持部材３４の他端には、３つのボス３４ｂが突設されている。３つのボス３４ｂは、連結板３６の対応する位置決め孔３６ｂに挿通される。また、連結板３６の外周縁には、後述する連結部材５０の連結ピン５２が挿通される複数の切欠部３９が設けられている。
【００２３】
図６に示すように、内側組立体４０は、外側組立体３０の回転操作部３２の一端にある凹部３２ａ内に配置される回転円板４２（円盤状部）、およびこの回転円板４２の他端側に連結される歯合部４４を有する。回転円板４２は、略円形の板の他端側中央に円筒形のボス４２ａを一体に有する。一方、歯合部４４も、略円形の板の一端側中央に円筒形のボス４４ａを有する。そして、図１および図２に示すように、歯合部４４のボス４４ａを貫通した孔４４ｂを通して他端側からネジ４３を挿通し、回転円板４２のボス４２ａに螺合する。これにより、内側組立体４０が組み立てられる。回転円板４２のボス４２ａおよび歯合部４４のボス４４ａは、内側組立体４０の回転軸として機能し、外側組立体３０の保持部材３４の取付孔３４ａおよび連結板３６の貫通孔３６ａに挿通配置される。
【００２４】
歯合部４４の外周縁には、複数の歯４５が設けられている。内側組立体４０を固定ブロック２０に取り付けて図２に示す第２の位置に配置した状態で、歯合部４４の複数の歯４５は、固定ブロック２０の取付孔２１の内面に設けた複数の歯２３に歯合する。この状態で、内側組立体４０の固定ブロック２０に対する回転が禁止される。つまり、歯合部４４の歯４５および固定ブロック２０の歯２３が両者の回転を規制する規制部として機能する。なお、内側組立体４０を図１に示す第１の位置に配置した状態では、歯合部４４の複数の歯４５が固定ブロック２０の複数の歯２３に歯合しないため、内側組立体４０の回転が可能となる。
【００２５】
また、歯合部４４の外周部には、連結部材５０を軸方向にスライド可能に受け入れる切欠部４６が設けられている。連結部材５０は、連結ピン５２が軸方向と平行になる姿勢で切欠部４６内に取り付けられ、歯合部４４とともに回転する。しかし、連結部材５０は、図１０に示すように、その一端側が固定ブロック２０の歯２３に当接し、その他端側が押え板７０で押えられるため、軸方向への移動はできない。
【００２６】
図８および図９に示すように、非回転部材６０は、略円板状に形成され、その外周縁から係合片６２を突設している。この係合片６２は、固定ブロック２０の係合凹部２４に係合する。これにより、非回転部材６０が固定ブロック２０に対して回転不能となる。しかし、非回転部材６０は、外側組立体３０と内側組立体４０の間に挟まれた状態で、外側組立体３０および内側組立体４０とともに軸方向に移動可能に設けられている。
【００２７】
非回転部材６０の一端側には、円環状の基板６４（第１の基板部）が設けられている。また、非回転部材６０の他端側にも、円環状の基板６６（第２の基板部）が設けられている。外側組立体３０の保持部材３４の他端側には、非回転部材６０の一端側にある基板６４と電気的に接触する切片８１が取り付けられている。また、内側組立体４０の歯合部４４の一端側には、非回転部材６０の他端側にある基板６６と電気的に接触する切片８２が取り付けられている。
【００２８】
図７に示すように、固定ブロック２０の他端側には、押え板７０が取り付けられる。固定ブロック２０の他端面には、２つの位置決め突起２５が突設されている。押え板７０は、固定ブロック２０の２つの位置決め突起２５を挿通する２つの位置決め孔７２を有する。押え板７０は、固定ブロック２０の位置決め突起２５を位置決め孔７２に挿通することで固定ブロック２０に対して位置決めされ、３本のネジ７４を用いて固定ブロック２０の他端に締結固定される。
【００２９】
次に、上記構造の切換スイッチ１００の組立方法について説明する。  
まず、外側組立体３０の回転操作部３２と保持部材３４を接着固定した状態で固定ブロック２０の一端側から取付孔２１に挿入する。このとき、保持部材３４の３つの取付孔３７にクリック部３５のバネ３５ａおよびボール３５ｂをそれぞれ押し込んで、各ボール３５ｂが固定ブロック２０の取付孔２１の中に収まるように、回転操作部３２と保持部材３４を取付孔２１に挿入する。
【００３０】
この後、固定ブロック２０の他端側から連結板３６を取付孔２１内に挿入し、保持部材３４の他端にある３つのボス３４ｂを連結板３６の３つの位置決め孔３６ｂにそれぞれ挿通する。そして、３本のネジ３８を用いて連結板３６を保持部材３４の他端に締結固定する。これにより、外側組立体３０が組み立てられ、同時に、外側組立体３０が固定ブロック２０に取り付けられる。つまり、この状態で、外側組立体３０を取付孔２１の一端側から引き抜こうとしても、連結板３６の一端側の外周縁が、固定ブロック２０の取付孔２１の内壁にある段部２６に当接し、外側組立体３０の移動を規制する。
【００３１】
また、この状態で、外側組立体３０の保持部材３４に設けた３つのクリック部３５が、外側組立体３０を固定ブロック２０に押し込んだ第１の位置、および固定ブロック２０から引き抜いた第２の位置に係止する機能を担う。また、３つのクリック部３５は、第１および第２の位置それぞれにおいて、外側組立体３０の固定ブロック２０に対する回転位置を所定位置に規定する機能を担う。この場合、回転方向の所定位置は、固定ブロック２０の取付孔２１の内面に設けた周方向に並んだ複数の嵌合凹部２２ａ、２２ｂの位置となる。
【００３２】
上記のように外側組立体３０を固定ブロック２０に取り付けた後、内側組立体４０の回転円板４２をボス４２ａ側から外側組立体３０の回転操作部３２の凹部３２ａに装着する。これにより、回転円板４２のボス４２ａが外側組立体３０の保持部材３４の取付孔３４ａ内に挿入配置される。回転操作部３２の凹部３２ａは、回転円板４２の外径よりわずかに大きい内径を有し、保持部材３４の取付孔３４ａは、回転円板４２のボス４２ａの外径より僅かに大きい内径を有する。
【００３３】
そして、この後、内側組立体４０の歯合部４４をボス４４ａ側から固定ブロック２０の取付孔２１内に取り付ける。このとき、非回転部材６０を固定ブロック２０の他端側から取付孔２１に挿入し、その後、取付孔２１の他端側から歯合部４４を取り付ける。図１２には、非回転部材６０を固定ブロック２０に取り付けた状態の斜視図を示してある。これにより、歯合部４４のボス４４ａが連結板３６の貫通孔３６ａを介して保持部材３４の取付孔３４ａ内に配置される。
【００３４】
連結板３６の貫通孔３６ａの内径および保持部材３４の取付孔３４ａの内径は、歯合部４４のボス４４ａの外径より僅かに大きい。また、非回転部材６０の中央に設けた貫通孔６１の内径は、歯合部４４のボス４４ａの大径部分４４０の外径より僅かに大きい。また、非回転部材６０の軸方向の厚みは、歯合部４４のボス４４ａの大径部分４４０の軸方向の長さより僅かに小さい。
【００３５】
さらにこの後、歯合部４４の他端側からネジ４３を孔４４ｂ内に挿通し、回転円板４２のボス４２ａのネジ孔に螺合する。これにより、内側組立体４０が組み立てられるとともに、内側組立体４０が外側組立体３０に組み合わされる。この状態で、内側組立体４０は、外側組立体３０に対して軸方向に移動不能となっており、外側組立体３０に対して回転可能となっている。また、外側組立体３０と内側組立体４０の間に挟んだ非回転部材６０は、固定ブロック２０の係合凹部２４に係合して固定ブロック２０に対する回転を禁止され、外側組立体３０および内側組立体４０と一緒に軸方向に移動可能となっている。
【００３６】
次に、固定ブロック２０の他端側から内側組立体４０の歯合部４４の切欠部４６内に連結部材５０を取り付ける。図１３には、歯合部４４および連結部材５０を固定ブロック２０に取り付けた状態の斜視図を示してある。連結部材５０は、内側組立体４０が軸方向に移動した際に切欠部４６から外れない程度の厚み（図１および図２参照）を有する。
【００３７】
最後に、連結部材５０の脱落を防止するため、固定ブロック２０の他端側に押え板７０を取り付ける。このとき、押え板７０の２つの位置決め孔７２に固定ブロック２０の２つの位置決め突起２５を挿入し、３本のネジ７４を用いて押え板７０を固定ブロック２０に締結固定する。
【００３８】
次に、上記構造の切換スイッチ１００の機能について説明する。  
図１に示す第１の位置にスイッチ部１０を配置すると、３つのクリック部３５のボール３５ｂが固定ブロック２０の嵌合凹部２２ａにそれぞれ嵌合し、スイッチ部１０が軸方向に沿った第１の位置に係止される。同時に、連結部材５０の連結ピン５２が連結板３６の切欠部３９に挿通配置され（図１４）、外側組立体３０の内側組立体４０に対する回転が禁止される。つまり、この状態で、内側組立体４０の歯合部４４の歯４５が固定ブロック２０の取付孔２１にある歯２３と歯合していないため、スイッチ部１０（外側組立体３０および内側組立体４０）の固定ブロック２０に対する回転が可能となる。
【００３９】
すなわち、スイッチ部１０を第１の位置に配置した状態で、回転操作部３２を回転すると、内側組立体４０の回転円板４２も回転する。回転円板４２の一端側の表面４２ｂの外周部には、図６に示すように、−３、−２、−１、０、＋１、＋２、＋３の文字（第２の表示部）が周方向に略等間隔で印刷されている。このため、ユーザーは、回転操作部３２の径方向の外側で固定ブロック２０の一端側の表面に設けた図示しない指示マークにいずれかの文字を対向させることで、第１の位置に配置したスイッチ部１０を所望する位置に回転させることができる。このとき、第１の位置に配置したスイッチ部１０の回転位置は、非回転部材６０の他端側に設けた基板６６に対する切片８２の接触位置を検出することで検出できる。
【００４０】
また、回転円板４２の表面４２ｂに印刷した−３と＋３の間で、回転円板４２の外周部には、回転円板４２を貫通した窓部４２ｃが設けられている。この窓部４２ｃは、外側組立体３０の回転操作部３２の凹部３２ａの底に印刷されている図示しないＰ（プログラムモード）、Ｓ（シャッター優先モード）、Ｍ（マニュアルモード）の文字（第１の表示部）を読み取るための開口部である。すなわち、スイッチ部１０を第１の位置に配置した状態で、回転円板４２の窓部４２ｃを介してＰ、Ｓ、Ｍのいずれかの文字が確認できる。例えば、窓部４２ｃを介してＰの文字が確認できている状態で、回転操作部３２を回転させると、プログラムモードの種類（−３、−２、−１、０、＋１、＋２、＋３）を選択できる。
【００４１】
一方、図２に示す第２の位置にスイッチ部１０を配置すると、３つのクリック部３５のボール３５ｂが固定ブロック２０の嵌合凹部２２ｂにそれぞれ嵌合し、スイッチ部１０が軸方向に沿った第２の位置に係止される。スイッチ部１０が第１の位置と第２の位置を移動するとき、３つのクリック部３５のボール３５ｂが嵌合凹部２２ａ、２２ｂ間を移動する。このとき、軸方向に並んだ嵌合凹部２２ａと嵌合凹部２２ｂの間にある稜部をボール３５ｂが乗り越える。
【００４２】
スイッチ部１０が第２の位置に配置されると、同時に、連結部材５０の連結ピン５２が連結板３６の切欠部３９から外れ、外側組立体３０の内側組立体４０に対する回転が可能になる。さらに同時に、内側組立体４０の歯合部４４の歯４５が固定ブロック２０の歯２３と歯合し、内側組立体４０の固定ブロック２０に対する回転が禁止される。つまり、スイッチ部１０を第２の位置に配置した状態では、外側組立体３０だけが回転可能となり、内側組立体４０の回転が禁止される。つまり、回転円板４２の回転が停止された状態で、回転操作部３２の回転が可能となる。
【００４３】
回転操作部３２の凹部３２ａの底には、上述したようにＰＳＭの文字が印刷されており、回転操作部３２が回転円板４２に対して相対的に回転されると、回転円板４２の窓部４２ｃを介して確認できる文字が切り換わる。すなわち、スイッチ部１０を第２の位置に配置した状態で、動作モードを切り換えることができる。このとき、第２の位置に配置したスイッチ部１０の回転位置は、非回転部材６０の一端側に設けた基板６４に対する切片８１の接触位置を検出することで検出できる。
【００４４】
なお、スイッチ部１０を第２の位置から第１の位置へ移動させる際には、非回転部材６０が外側組立体３０によって押圧されて、非回転部材６０が内側組立体４０を第１の位置へ移動する。
【００４５】
以上のように、本実施形態によると、スイッチ部１０が第１の位置に位置する際には外側組立体３０および内側組立体４０が共に回転し、スイッチ部１０が第２の位置に位置する際には外側組立体３０のみが回転する。これにより、小型化および省スペース化が可能で、切換可能なチャンネル数が多く、利便性の高い切換スイッチを提供できる。
【００４６】
以上、実施形態に基づいて本発明を説明したが、本発明は、上述した実施形態に限定されるものではなく、本発明の要旨の範囲内で種々の変形や応用が可能なことは勿論である。例えば、上述した実施形態では、カメラの切換スイッチに本発明を適用した場合について説明したが、これに限らず、車のダッシュボードにあるエアコンの切換スイッチなど、他の切換スイッチに本発明を適用することもできる。
【符号の説明】
【００４７】
１０…スイッチ部、  ２０…固定ブロック、  ２１…取付孔、  ２２ａ、２２ｂ…嵌合凹部、  ２３…歯、  ２４…係合凹部、  ３０…外側組立体、  ３２…回転操作部、  ３２ａ…凹部、  ３４…保持部材、  ３４ａ…取付孔、  ３６…連結板、  ３６ａ…貫通孔、  ３６ｂ…位置決め孔、  ３９…切欠部、  ４０…内側組立体、  ４２…回転円板、  ４２ｃ…窓部、  ４４…歯合部、  ４５…歯、  ４６…切欠部、  ５０…連結部材、  ５２…連結ピン、  ６０…非回転部材、  ６１…貫通孔、  ６２…係合片、  ６４、６６…基板、  ７０…押え板、  ７２…位置決め孔、  ８１、８２…切片。
【図１】
2016195086.tif 000003
【図２】
2016195086.tif 000004
【図３】
2016195086.tif 000005
【図４】
2016195086.tif 000006
【図５】
2016195086.tif 000007
【図６】
2016195086.tif 000008
【図７】
2016195086.tif 000009
【図８】
2016195086.tif 000010
【図９】
2016195086.tif 000011
【図１０】
2016195086.tif 000012
【図１１】
2016195086.tif 000013
【図１２】
2016195086.tif 000014
【図１３】
2016195086.tif 000015
【図１４】
2016195086.tif 000016